(57)【要約】      （修正有）【課題】透光性の通気用ルーバーを備えた、居室間或いは居室と廊下間に設けられる透光性通気用ルーバー建具を提供する。【解決手段】中央に縦長矩形の板状の透光性部材１と、透光性部材を両側から支持固定する縦長矩形の箱状の左側扉半体２及び同縦長矩形の箱状の右側扉半体３とから扉本体が構成されており、透光性部材にルーバー５を加工成形して内外に連通する通気用開口溝を形成した。また透光性部材の中央部に可動ルーバーを形成して開閉動作により内外へ連通する通気用開口を形成することもできる。【選択図】図１
0003187333.tif 000002
【実用新案登録請求の範囲】
【請求項１】
中央に縦長矩形の板状の透光性部材と、該透光性部材を両側から支持固定する縦長矩形の箱状の左側扉半体及び同縦長矩形の箱状の右側扉半体とから扉本体が構成されており、前記透光性部材にルーバーを加工成形して内外に連通する通気用開口溝を形成したことを特徴とする透光性通気用ルーバー建具。
【請求項２】
前記透光性部材の通気用開口溝は、所定の幅で厚さ方向に角度４５°で切削加工することにより形成されることを特徴とする請求項１記載の透光性通気用ルーバー建具。
【請求項３】
中央に縦長矩形の板状の透光性部材と、該透光性部材を両側から支持固定する縦長矩形の箱状の左側扉半体及び同縦長矩形の箱状の右側扉半体とから扉本体が構成されており、前記透光性部材は、中央部に前記透光性部材と同一素材の可動ルーバーを形成して開閉動作により内外に連通する通気用開口を形成することを特徴とする透光性通気用ルーバー建具。
【請求項４】
前記可動ルーバーは、ルーバー支持金具を前記左側扉半体及び右側扉半体の相向き合う側面にネジにより固定し、前記ルーバー支持金具のコ字状の支持部分に可動ルーバーの端部を挟み込み、前記支持部分に設けたボルトにより挟持固定することを特徴とする請求項３記載の透光性通気用ルーバー建具。
【考案の詳細な説明】
【技術分野】
【０００１】
本考案は、居室間或いは居室と廊下間に設けられる透光性通気用ルーバー建具に関する。
【背景技術】
【０００２】
従来、間仕切ドアに透光性パネルを設けて居室の明りの一部を廊下や玄関に漏れさせて歩行の安全を図ると共に通気用ルーバーを設けて居室間或いは居室と廊下間の換気を図ることが知られている（特許文献１を参照）。
この公知技術は、矩形の板状の間仕切ドア本体の略中位に縦長の矩形の開口を形成し、この開口に上位と下位にルーバーを形成し中位に透光性パネルを組み合わせた機能部材を嵌合固定したものである。
【０００３】
上記公知技術は、間仕切ドアにより採光と換気の両方を確保することができるが、通気用ルーバーは非透光性のため、中位に通気用ルーバーを設けると採光が不十分となるので、中位に透光性パネルを設けて上位と下位に通気用ルーバーを設けることしかできないものであった。
そのため、通気用ルーバーを中央に設けても採光が十分となる間仕切ドアが望まれていた。
【先行技術文献】
【特許文献】
【０００４】
【特許文献１】特開平１１−１０１０７１号公報（図６、図１１を参照）
【考案の概要】
【考案が解決しようとする課題】
【０００５】
本考案は、透光性の通気用ルーバーを備えた、居室間或いは居室と廊下間に設けられる透光性通気用ルーバー建具を提供することを目的とする。
【課題を解決するための手段】
【０００６】
本考案の透光性通気用ルーバー建具は、中央に縦長矩形の板状の透光性部材と、該透光性部材を両側から支持固定する縦長矩形の箱状の左側扉半体及び同縦長矩形の箱状の右側扉半体とから扉本体が構成されており、前記透光性部材にルーバーを加工成形して内外に連通する通気用開口溝を形成したものである。
前記透光性部材の通気用開口溝は、所定の幅で厚さ方向に角度４５°で切削加工することにより形成される。
また、本考案の透光性通気用ルーバー建具は、中央に縦長矩形の板状の透光性部材と、該透光性部材を両側から支持固定する縦長矩形の箱状の左側扉半体及び同縦長矩形の箱状の右側扉半体とから扉本体が構成されており、前記透光性部材は、中央部に前記透光性部材と同一素材の可動ルーバーを形成して開閉動作により内外に連通する通気用開口を形成するものである。
前記可動ルーバーは、ルーバー支持金具を前記左側扉半体及び右側扉半体の相向き合う側面にネジにより固定し、前記ルーバー支持金具のコ字状の支持部分に可動ルーバーの端部を挟み込み、前記支持部分に設けたボルトにより挟持固定する。
【考案の効果】
【０００７】
本考案の透光性通気用ルーバー建具は、中央に縦長矩形の板状の透光性部材と、該透光性部材を両側から支持固定する縦長矩形の箱状の左側扉半体及び同縦長矩形の箱状の右側扉半体とから扉本体が構成されており、前記透光性部材にルーバーを加工成形して内外に連通する通気用開口溝を形成したため、居室間或いは居室と廊下間の換気を図ることができると共に、前記透光性部材全体から居室の明りを廊下や玄関に投光させて歩行の安全を図ることができる。
また、本考案の他の透光性通気用ルーバー建具は、透光性部材により可動ルーバーが形成されているので、必要に応じて居室間或いは居室と廊下間の換気を図ることができると共に、前記透光性部材全体から居室の明りを廊下や玄関に投光させて歩行の安全を図ることができる。
【図面の簡単な説明】
【０００８】
【図１】本考案の透光性通気用ルーバー建具の正面図である。
【図２】本考案の透光性通気用ルーバー建具の拡大断面図である。
【図３】透光性部材の拡大縦断面図である。
【図４】透光性部材のルーバー部分の拡大説明図である。
【図５】本考案の他の透光性通気用ルーバー建具の正面図である。
【図６】本考案の他の透光性通気用ルーバー建具の拡大断面図である。
【図７】透光性部材の拡大縦断面図である。
【図８】透光性部材の可動ルーバー部分の拡大説明図である。
【図９】可動ルーバーの動作説明図である。
【考案を実施するための形態】
【０００９】
本考案の透光性通気用ルーバー建具の一実施例を添付図面に基づいて、以下に説明する。
図１の正面図、図２の拡大断面図に示すように、本考案の透光性通気用ルーバー建具は、中央に縦長矩形の板状の透光性部材１と、該透光性部材１を両側から支持固定する縦長矩形の箱状の左側扉半体２及び同縦長矩形の箱状の右側扉半体３とから扉本体が構成されている。なお、番号４は開閉用のレバーハンドルである。
【００１０】
前記透光性部材１の素材は、透明な合成樹脂、強化ガラス、通常のガラスなどを使用でき、特にポリカーボネイト樹脂は加工性などから最適である。そして、図３の拡大縦断面図に示すように、前記透光性部材１の中央部をルーバー５に加工成形して内外に連通する通気用開口溝６を形成する。
前記通気用開口溝６は、図４の拡大説明図に示すように、前記透光性部材１を所定の幅で厚さ方向に角度４５°で切削加工することにより形成される。
本実施例では、前記ルーバー５を３個、通気用開口溝６を４個形成しているが、これに限らず適宜個数を設計変更することができるし、また中央部に集中させず前記ルーバー５を分散して配置することもできる。
【００１１】
前記左側扉半体２及び右側扉半体３は、図２に示すように、左右の相向き合う側面に前記透光性部材１が嵌合する縦長溝７を全体形成し、前記縦長溝７に前記透光性部材１の縦長側面を嵌合固定して扉本体を完成するものである。
このようにして形成された本考案の透光性通気用ルーバー建具は、中央の透光性部材１により固定式のルーバー５が形成されているので、居室間或いは居室と廊下間の換気を図ることができると共に、前記透光性部材１全体から居室の明りを廊下や玄関に投光させて歩行の安全を図ることができる。
【００１２】
次に、本考案の透光性通気用ルーバー建具の他の実施例を添付図面に基づいて、以下に説明する。
本考案の他の透光性通気用ルーバー建具は、基本は前述と同様であるが、固定式ルーバーを可動式ルーバーに改良したものである。
図５の正面図、図６の拡大断面図に示すように、本考案の他の透光性通気用ルーバー建具は、中央に縦長矩形の板状の透光性部材１と、該透光性部材１を両側から支持固定する縦長矩形の箱状の左側扉半体２及び同縦長矩形の箱状の右側扉半体３とから扉本体が構成されている。なお、番号４は開閉用のレバーハンドルである
【００１３】
前記透光性部材１は、図７の拡大縦断面図に示すように、前記透光性部材１の中央部に可動ルーバー８を形成して開閉動作により内外に連通する通気用開口を形成するようにしている。
図８の拡大説明図に示すように、前記可動ルーバー８は、前記透光性部材１と同一素材から所定の幅で厚さ方向に角度４５°で形成された平行四辺形状の断面とすることにより形成される。
前記可動ルーバー８は、図６に示すように、ルーバー支持金具９を前記左側扉半体２及び右側扉半体３の相向き合う側面にネジ１０により固定し、前記ルーバー支持金具９のコ字状の支持部分１１に可動ルーバー８の端部を挟み込み、前記支持部分１１に設けたボルト１２により挟持固定する。
前記可動ルーバー８は、前記ネジ１０部分を中心として自転でき、図９の動作説明図に示すように、回動動作を行うことにより、前記可動ルーバー８を開閉することができる。
【００１４】
このようにして形成された本考案の他の透光性通気用ルーバー建具は、透光性部材１により可動ルーバー８が形成されているので、必要に応じて居室間或いは居室と廊下間の換気を図ることができると共に、前記透光性部材１全体から居室の明りを廊下や玄関に投光させて歩行の安全を図ることができる。
【符号の説明】
【００１５】
１  透光性部材
２  左側扉半体
３  右側扉半体
４  レバーハンドル
５  ルーバー
６  通気用開口溝
７  縦長溝
８  可動ルーバー
９  ルーバー支持金具
１０  ネジ
１１  支持部分
１２  ボルト
【図１】
0003187333.tif 000003
【図２】
0003187333.tif 000004
【図３】
0003187333.tif 000005
【図４】
0003187333.tif 000006
【図５】
0003187333.tif 000007
【図６】
0003187333.tif 000008
【図７】
0003187333.tif 000009
【図８】
0003187333.tif 000010
【図９】
0003187333.tif 000011